(57)【要約】  前後方向にアンテナ指向性を有するコイルの前方の感度を高めるようにコイルの後方に金属体を近接設置して、コイルと金属体をボビンケースに保持する。ボビンケースは、電子装置の基板面に固定される面であって且つ前イルのアンテナ指向性の方向と平行又はほぼ平行な面である基板実装面を有する。電子装置の基板面に実装したときに該基板面に平行な方向で且つ一方向に高い感度で延びている感度領域を形成できる。
2012053089.tif 000002
【特許請求の範囲】
【請求項１】
前後方向にアンテナ指向性を有するコイルと、前記コイルの前方の感度を高めるように前記コイルの後方に近接設置される金属体と、前記コイルを収容する空間であるコイル収容空間および前記金属体を収容する空間である金属体収容空間および電子装置の基板面に固定される面であって且つ前記コイルのアンテナ指向性の方向と平行又はほぼ平行な面である基板実装面を有するボビンケースとを具備してなることを特徴とするコイル部品。
【請求項２】
請求項１記載のコイル部品において、前記コイルの巻線部分および前記金属体が、前記コイルおよび前記金属体を前記ボビンケースに保持した位置関係で前記金属体の前面に前記コイルの巻線部分を投影したときに前記コイルの巻線部分の投影像が前記金属体の前面に入りきるような大きさ及び位置関係であることを特徴とするコイル部品。
【請求項３】
請求項１または請求項２記載のコイル部品において、前記コイルの両端部は前記ボビンケースの基板実装面に露出してコイル端子部となり、前記金属体の少なくとも一部は前記ボビンケースの基板実装面に露出して金属体端子部となり、さらに前記ボビンケースの基板実装面の少なくとも１ヶ所には金属製のボビン固定端子部が設置されていることを特徴とするコイル部品。
【請求項４】
請求項３に記載のコイル部品において、前記コイルの両端部を平板状に加工して前記ボビンケースの基板実装面側端部に巻き付け且つ基板実装面に露出する部分の絶縁被覆を除去し半田めっきしてコイル端子部としたことを特徴とするコイル部品。
【請求項５】
請求項１から請求項４のいずれかに記載のコイル部品において、前記ボビンケースは、マウンターで吸着可能な吸着面を前記基板実装面と反対側に備えたことを特徴とするコイル部品。
【請求項６】
コイル部品と、前記コイル部品を前面に固定したフレキシブル・プリント基板とを具備してなり、
前記コイル部品は、前後方向にアンテナ指向性を有するコイルと、前記コイルを収容する空間であるコイル収容空間および前記フレキシブル・プリント基板の前面に固定される面であって且つ前記コイルのアンテナ指向性の方向と直交又はほぼ直交する面である基板実装面を有するボビンケースとを備え、
前記フレキシブル・プリント基板は、前記コイル部品が固定されるコイル部品領域と、前記コイル部品領域と直交又はほぼ直交するように折り曲げ可能な折り曲げ領域と、前記コイルの前方の感度を高めるように前記コイルの後方に配置される金属層とを備えることを特徴とするコイル部品ユニット。
【発明の詳細な説明】
【技術分野】
【０００１】
本発明は、コイル部品およびコイル部品ユニットに関し、さらに詳しくは、電子装置の基板面に平行な方向で且つ一方向に高い感度で延びている感度領域を形成できるコイル部品およびコイル部品ユニットに関する。
【背景技術】
【０００２】
従来、前後方向にアンテナ指向性を有するコイルと、コイルを収容する空間であるコイル収容空間および電子装置の基板面に固定される面であって且つコイルのアンテナ指向性の方向と直交する面である基板実装面を有するボビンケースとを具備してなるコイル部品が知られている（例えば、特許文献１参照。）。
【先行技術文献】
【特許文献】
【０００３】
【特許文献１】特開２０１０−０２１４５８号公報
【発明の概要】
【発明が解決しようとする課題】
【０００４】
この種のコイル部品は、ボビンケースの基板実装面を電子装置の基板面に固定することで電子装置に実装されるが、上記従来のコイル部品では基板実装面がコイルのアンテナ指向性の方向と直交する面であるため、コイル部品の感度領域は電子装置の基板面に直交する方向に延びている状態となる。
ところで、電子装置が例えばデジタル・カメラの場合、その基板面はデジタル・カメラの上下左右の方向に広がっているのが一般的である。このため、コイル部品の感度領域はデジタル・カメラの前後方向に延びている状態となる。従って、例えばクレードルに内蔵され且つ上下方向にアンテナ指向性を有するアンテナと近接通信させるためにクレードルにデジタル・カメラを載置するとき、デジタル・カメラを寝かせてクレードルに載置し、コイル部品の感度領域も上下方向に延びている状態とする必要があった。
しかし、デジタル・カメラを寝かせずに、立てた状態でクレードルに載置したいという要望が強かった。
そこで、本発明の目的は、電子装置の基板面に平行な方向で且つ一方向に高い感度で延びている感度領域を形成できるコイル部品およびコイル部品ユニットを提供することにある。
【課題を解決するための手段】
【０００５】
第１の観点では、本発明は、前後方向にアンテナ指向性を有するコイルと、前記コイルの前方の感度を高めるように前記コイルの後方に近接設置される金属体と、前記コイルを収容する空間であるコイル収容空間および前記金属体を収容する空間である金属体収容空間および電子装置の基板面に固定される面であって且つ前記コイルのアンテナ指向性の方向と平行又はほぼ平行な面である基板実装面を有するボビンケースとを具備してなることを特徴とするコイル部品を提供する。
上記構成のコイル部品では、コイルの一端と金属体とを電子装置の基板のグランドに電気的に接続することで、コイルの前方での磁界および電界が増加する。さらに、基板実装面を、コイルのアンテナ指向性の方向と平行又はほぼ平行な面としている。これらの結果、基板実装面を電子装置の基板面に固定することで電子装置に実装したとき、電子装置の基板面に平行又はほぼ平行な方向で且つコイル部品から一方向に高い感度で延びている感度領域を形成できる。
そして、電子装置が例えばデジタル・カメラで、その基板面がデジタル・カメラの上下左右の方向に広がっている場合、コイル部品の感度領域がデジタル・カメラの下方向に高い感度で延びている状態とすることが出来る。従って、例えばクレードルに内蔵され且つ上下方向にアンテナ指向性を有するアンテナと近接通信させるためにクレードルにデジタル・カメラを載置するとき、デジタル・カメラを立てた状態で載置可能となる。【０００６】
金属体は、例えば平面形状を有したものであれば厚みによる特性変化ほとんどないので、例えば金属箔をプラスチックシートに貼り付けて箔側の面をコイル側にしてコイルの後方に近接配置してもよいし、自律的に平面形状が保てる程度の厚みを有した金属板を用いてもよいし、強度を持たせるために両端にリブを設けた金属板を用いてもよい。金属の種類は、例えば銅やアルミニウム等が挙げられる。【０００７】
金属体は、コイルとの距離が離れるにつれてコイルとの結合強度が低下していくので、コイルからあまり離さない方が望ましい。コイルと絶縁されていれば、コイルに接触して配置してもよい。なお、結合強度とは、アンテナ特性評価の１つであるＳ２１特性（Ｓパラメータ）のことを指し、送信側アンテナ（コイル部品のコイル）から受信側アンテナ（１０ｍｍ程度離して対向させた別のコイル）への伝送特性を評価する指標である。送信側アンテナから受信側アンテナへ全く損失なく伝送出来た場合の結合強度は０ｄＢで、伝送損失が大きくなるほど結合強度は小さくなる。【０００８】
コイル収容空間には、ボビンケースに対するコイルの位置を保持するためのコイル位置規制手段を設けることが望ましい。【０００９】
金属体収容空間は、例えばボビンケースにスリットを設けて形成でき、金属体をボビンケースに収容固定するとともにコイルに対する金属体の位置（距離）を決める役割も果たす。【００１０】
第２の観点では、本発明は、前記第１の観点によるコイル部品において、前記コイルの巻線部分および前記金属体が、前記コイルおよび前記金属体を前記ボビンケースに保持した位置関係で前記金属体の前面に前記コイルの巻線部分を投影したときに前記コイルの巻線部分の投影像が前記金属体の前面に入りきるような大きさ及び位置関係であることを特徴とするコイル部品を提供する。
上記構成のコイル部品において、周波数帯域によってほぼ大きさが規定されてしまうコイルの巻線部分に比べて、金属体の前面の大きさについては自由度が大きい。その金属体を、コイルの巻線部分の投影像が金属体の前面にちょうど入るような大きさ及び位置関係にしてコイルに近接配置すると、金属体を設けない場合と比べて約−７．６ｄＢほど結合強度が向上し、コイルのアンテナとしての機能を十分に高めることが出来た。また、それより金属体の前面を大きくすると、特性がさらに良好になるが、占有空間が大きくなってしまう。そこで、コイル部品を使用する電子装置の内部空間サイズや電子装置が求めている特性に合わせて金属体の前面の大きさを適宜選択することが好ましい。【００１１】
第３の観点では、本発明は、前記第１または第２の観点によるコイル部品において、前記コイルの両端部は前記ボビンケースの基板実装面に露出してコイル端子部となり、前記金属体の少なくとも一部は前記ボビンケースの基板実装面に露出して金属体端子部となり、さらに前記ボビンケースの基板実装面の少なくとも１ヶ所には金属製のボビン固定端子部が設置されていることを特徴とするコイル部品を提供する。
上記構成により、電子装置の基板面に半田リフローでコイル端子部および金属体端子部およびボビン固定端子部を電気的・機械的に接続することが出来る。【００１２】
第４の観点では、本発明は、前記第３の観点によるコイル部品において、前記コイルの両端部を平板状に加工して前記ボビンケースの基板実装面側端部に巻き付け且つ基板実装面に露出する部分の絶縁被覆を除去し半田めっきしてコイル端子部としたことを特徴とするコイル部品を提供する。
上記構成により、コイルの両端部をボビンケースに固定することが出来る。また、コイルの両端部を端子として利用することで、別の端子部品を不要とすることが出来る。さらに、基板実装面に露出する部分を半田リフローにより電子装置の基板面に半田付けできる。【００１３】
第５の観点では、本発明は、前記第１から第４の観点によるコイル部品において、前記ボビンケースは、マウンターで吸着可能な吸着面を前記基板実装面と反対側に備えたことを特徴とするコイル部品を提供する。
上記構成により、コイル部品を電子装置の基板に実装する際に、自動実装吸引マウンターを利用することが出来る。【００１４】
第６の観点では、本発明は、コイル部品と、前記コイル部品を前面に固定したフレキシブル・プリント基板とを具備してなり、前記コイル部品は、前後方向にアンテナ指向性を有するコイルと、前記コイルを収容する空間であるコイル収容空間および前記フレキシブル・プリント基板の前面に固定される面であって且つ前記コイルのアンテナ指向性の方向と直交又はほぼ直交する面である基板実装面を有するボビンケースとを備え、前記フレキシブル・プリント基板は、前記コイル部品が固定されるコイル部品領域と、前記コイル部品領域と直交又はほぼ直交するように折り曲げ可能な折り曲げ領域と、前記コイルの前方の感度を高めるように前記コイルの後方に配置される金属層とを備えることを特徴とするコイル部品ユニットを提供する。
上記構成のコイル部品ユニットでは、コイル部品領域と直交又はほぼ直交するように折り曲げた状態でフレキシブル・プリント基板の折り曲げ領域を電子装置の基板に固定すれば、電子装置の基板面に平行又はほぼ平行な方向にコイルの感度を延ばすことが出来る。そして、コイルの一端と金属層とを電子装置の基板のグランドに電気的に接続することで、コイルの前方での磁界および電界が増加する。これらの結果、電子装置の基板面に平行又はほぼ平行な方向で且つコイル部品から一方向に高い感度で延びている感度領域を形成できる。
そして、電子装置が例えばデジタル・カメラで、その基板面がデジタル・カメラの上下左右の方向に広がっている場合、コイル部品の感度領域がデジタル・カメラの下方向に高い感度で延びている状態とすることが出来る。従って、例えばクレードルに内蔵され且つ上下方向にアンテナ指向性を有するアンテナと近接通信させるためにクレードルにデジタル・カメラを載置するとき、デジタル・カメラを立てた状態で載置可能となる。
【発明の効果】
【００１５】
本発明のコイル部品およびコイル部品ユニットによれば、電子装置の基板面に平行又はほぼ平行な方向で且つコイル部品から一方向に高い感度で延びている感度領域を形成できる。
【図面の簡単な説明】
【００１６】
【図１】実施例１に係るコイル部品を示す（ａ）平面図、（ｂ）正面図、（ｃ）右側面図および（ｄ）底面図である。
【図２】実施例１に係るコイル部品を示す斜視図である。
【図３】実施例１に係るコイル部品を示す分解斜視図である。
【図４】実施例１に係るコイルを示す（ａ）正面図および（ｂ）右側面図である。
【図５】実施例１に係る金属体を示す（ａ）正面図、（ｂ）右側面図および（ｃ）底面図である。
【図６】実施例１に係る金属体の前面へのコイルの巻線部分の投影像を示す正面図である。
【図７】実施例１に係るボビンケースを示す（ａ）平面図、（ｂ）正面図、（ｃ）右側面図および（ｄ）底面図である。
【図８】実施例１に係るボビンケースを示す斜視図である。
【図９】実施例１に係るコイル部品を実装したデジタル・カメラを示す（ａ）正面図、（ｂ）右側面図および（ｃ）底面図である。
【図１０】実施例１に係るコイル部品を実装したデジタル・カメラとクレードルを示す右側面図である。
【図１１】実施例１に係るコイル部品のギャップ距離比特性を示す（ａ）図表および（ｂ）グラフである。
【図１２】実施例１に係るコイル部品の面積比特性を示す（ａ）図表および（ｂ）グラフである。
【図１３】実施例２に係るコイル部品を示す（ａ）正面図、（ｂ）右側面図および（ｃ）底面図である。
【図１４】実施例３に係るコイル部品を示す（ａ）平面図、（ｂ）正面図、（ｃ）右側面図および（ｄ）底面図である。
【図１５】実施例３に係る金属体を示す（ａ）正面図、（ｂ）右側面図および（ｃ）底面図である。
【図１６】実施例４に係るコイル部品を示す（ａ）平面図、（ｂ）正面図、（ｃ）右側面図および（ｄ）底面図である。
【図１７】実施例５に係るコイル部品ユニットを示す（ａ）正面図および（ｂ）右側面図である。
【図１８】実施例５に係るコイル部品を示す（ａ）平面図、（ｂ）正面図、（ｃ）右側面図、（ｄ）底面図および（ｅ）背面図である。
【図１９】実施例５に係るボビンケースを示す（ａ）平面図、（ｂ）正面図、（ｃ）右側面図、（ｄ）底面図および（ｅ）背面図である。
【図２０】実施例５に係るフレキシブル・プリント基板を示す（ａ）正面図、（ｂ）右側面図および（ｃ）背面図である。
【図２１】実施例５に係る金属層へのコイルの巻線部分の投影像を示す正面図である。
【図２２】実施例５に係るコイル部品ユニットを実装したデジタル・カメラを示す（ａ）正面図、（ｂ）右側面図および（ｃ）底面図である。
【図２３】実施例５に係るコイル部品ユニットを実装したデジタル・カメラとクレードルを示す右側面図である。
【図２４】実施例６に係るコイル部品を示す（ａ）平面図、（ｂ）正面図、（ｃ）右側面図、（ｄ）底面図および（ｅ）背面図である。
【発明を実施するための形態】
【００１７】
以下、図に示す実施の形態により本発明をさらに詳細に説明する。なお、これにより本発明が限定されるものではない。
【００１８】
−実施例１−
図１の（ａ）は実施例１に係るコイル部品１０を示す平面図、（ｂ）は正面図、（ｃ）は右側面図、（ｄ）は底面図である。
このコイル部品１０は、コイル１と、コイル１の後方に近接設置される金属体２と、コイル１および金属体２を保持するボビンケース３とを具備してなる。
ボビンケース３の底面は、電子装置の基板面に固定される基板実装面である。
【００１９】
図２は、コイル部品１０の斜視図である。
図３は、コイル部品１０の分解斜視図である。
【００２０】
図４の（ａ）は、コイル１の正面図、（ｂ）は右側面図である。
コイル１は、絶縁被覆銅線をソレノイド状に巻回した巻線１ａ，１ｂを有するコ字形コイルである。巻線１ａの中心軸１ｃと巻線１ｂの中心軸１ｄとは平行である。
コイル１の両端部は、平板状に加工してボビンケース３の端部に巻き付けうるように曲げられ、コイル端子部１ｅ，１ｆになっている。コイル端子部１ｅ，１ｆの少なくとも底面の絶縁被覆は除去され、半田めっきされている。図１の（ｄ）から判るように、基板実装面には、コイル端子部１ｅ，１ｆが露出している。
図４の（ｂ）に示すように、コイル１は、前後方向にアンテナ指向性を有し、前方感度領域Ｆおよび後方感度領域Ｒが主たる感度領域である。図１から判るように、基板実装面は、コイル１のアンテナ指向性の方向と平行又はほぼ平行な面になる。
【００２１】
図５の（ａ）は金属体２の正面図、（ｂ）は右側面図、（ｃ）は底面図である。
金属体２は、銅の金属板であり、下端部の一部がＬ字形に曲げられて、金属体端子部２ａ，２ｂになっている。図１の（ｄ）から判るように、基板実装面には、金属体端子部２ａ，２ｂが露出している。
【００２２】
図６に示すように、コイル１および金属体２をボビンケース３に保持した位置関係で金属体２の前面にコイル１の巻線１ａ，１ｂの部分を正面側から投影したとき、コイル１の巻線１ａ，１ｂの部分の投影像１ｐが金属体２の前面に入りきるように、金属体２の大きさ及び位置が設定されている。なお、コイル１は、周波数帯域により大きさが規定されている。
数値例を示すと、周波数帯域がＧＨｚ帯のとき、コイル１の巻線１ａ，１ｂの長さＬａは約３．２ｍｍであり、コイル１の幅Ｌｂは約５ｍｍである。また、コイル部品１０を使用する電子装置の内部空間サイズや電子装置が求めている特性に合わせて、金属体２の前面の高さＣａは約３．２ｍｍ〜約８ｍｍ、幅Ｃｂは約５ｍｍ〜約８ｍｍの間の値に選択される。
【００２３】
図７の（ａ）はボビンケース３の平面図、（ｂ）は正面図、（ｃ）は右側面図、（ｄ）は底面図である。
ボビンケース３は、合成樹脂製であり、コイル１を収容する空間であるコイル収容空間３ｇおよび金属体２を収容する空間である金属体収容空間３ｈを有する。
コイル収容空間３ｇには、ボビンケース３に対するコイル１の位置を保持するために、コイル１の巻線１ａ，１ｂ内に挿入される突起３ｄ，３ｅが設けられている。
【００２４】
図７の（ｄ）に示すように、基板実装面には、ボビンケース３に埋設された金属板の一部が露出し、ボビン固定端子部３ａ〜３ｃになっている。
図７の（ａ）に示すように、ボビンケース３は、基板実装面と反対側に、マウンターで吸着可能な吸着面３ｆを備えている。
【００２５】
図８は、ボビンケース３の斜視図である。
【００２６】
図９の（ａ）はコイル部品１０を実装したデジタル・カメラ１００の正面図、（ｂ）は右側面図、（ｃ）は底面図である。
デジタル・カメラ１００の基板１００ａは、デジタル・カメラ１００の上下左右の方向に広がっている。
コイル部品１０は、コイル部品１０の正面を下向きにして、基板１００ａの下端部に半田付けされている。すなわち、コイル１のコイル端子部１ｅが回路入力となる配線パタンに半田付けされ、コイル１のコイル端子部１ｆがグランドとなる配線パタンに半田付けされ、金属体２の金属体端子部２ａ，２ｂがグランドとなる配線パタンに半田付けされ、ボビンケース３のボビン固定端子部３ａ〜３ｃがグランドとなる配線パタンに半田付けされている。
【００２７】
図１０に示すように、このデジタル・カメラ１００は、立てた状態でクレードルＣに載置して、クレードルＣに内蔵され且つ上下方向にアンテナ指向性を有するアンテナＳと近接通信することが出来る。
【００２８】
図１１の（ａ）は、コイル１と金属体２の間のギャップの最短距離を変化させた場合の結合強度の変化を示す図表である。なお、Ｌａ＝３．２ｍｍ、Ｌｂ＝５ｍｍ、Ｃａ＝５．３ｍｍ、Ｃｂ＝５．０ｍｍ、周波数は４．４８ＧＨｚである。
図１１の（ｂ）は、コイル１の巻線１ａ，１ｂの長さＬａに対するギャップの比（距離比と呼ぶ）を横軸とし、結合強度を縦軸としたグラフである。
ギャップが小さいほど結合強度が高く、距離比が０．８を超えると急に結合強度が低下している。
なお、結合強度とは、アンテナ特性評価の１つであるＳ２１特性（Ｓパラメータ）のことを指し、送信側アンテナ（コイル部品のコイル）から受信側アンテナ（１０ｍｍ程度離して対向させた別のコイル）への伝送特性を評価する指標である。送信側アンテナから受信側アンテナへ全く損失なく伝送出来た場合の結合強度は０ｄＢで、伝送損失が大きくなるほど結合強度は小さくなる。
【００２９】
図１２の（ａ）は、金属体２の縦幅Ｃａと横幅Ｃｂを変化させた場合の結合強度の変化を示す図表である。なお、Ｌａ＝３．２ｍｍ、Ｌｂ＝５ｍｍ、ギャップ＝０．５ｍｍ、周波数は４．４８ＧＨｚである。
図１２の（ｂ）は、コイル１の巻線部分を囲む四角形の面積Ｌａ×Ｌｂに対する金属体２を囲む四角形の面積Ｃａ×Ｃｂの比（面積比と呼ぶ）を横軸とし、結合強度を縦軸としたグラフである。
金属体１の縦幅Ｃａ，横幅Ｃｂを大きくするほど結合強度が高くなるが、面積比が３以上になると結合強度は飽和している。
【００３０】
図１１，図１２の結果から、ギャップ比は０．８以下とし、面積比は１〜３とするのが好ましいことが判る。
【００３１】
−実施例２−
図１３の（ａ）は実施例２に係るコイル部品２０の正面図、（ｂ）は右側面図、（ｃ）は底面図である。
ボビンケース４の底面が段差４ｇになっており、段差のある基板の段差部分に整合する底面形状になっている。ボビンケース４の底面が段差４ｇになっている以外は、実施例１と同じ構成である。
【００３２】
−実施例３−
図１４の（ａ）は実施例３に係るコイル部品３０の平面図、（ｂ）は正面図、（ｃ）は右側面図、（ｄ）は底面図である。
金属体５の左右端部が折り曲げられてリブになっており、機械的強度が高められている。金属体５の左右端部が折り曲げられてリブになっている以外は、実施例１と同じ構成である。
図１５の（ａ）は金属体２の正面図、（ｂ）は右側面図、（ｃ）は底面図である。
【００３３】
−実施例４−
図１６の（ａ）は実施例４に係るコイル部品７０を示す平面図、（ｂ）は正面図、（ｃ）は右側面図、（ｄ）は底面図である。
このコイル部品７０は、コイル７として絶縁被覆平角銅線をソレノイド状に巻回し且つ扁平に変形させた巻線７ａ，７ｂを有するコ字形コイルを用いていることと、コイル７に適合する形状のボビンケース８を用いていること以外は、実施例１と同じ構成である。
【００３４】
コイル７の両端部は、ボビンケース８の端部に巻き付けうるように曲げられ、コイル端子部７ｅ，７ｆになっている。コイル端子部７ｅ，７ｆの少なくとも底面の絶縁被覆は除去され、半田めっきされている。図１６の（ｄ）から判るように、基板実装面には、コイル端子部７ｅ，７ｆが露出している。
【００３５】
ボビンケース８は、合成樹脂製であり、コイル７を収容する空間であるコイル収容空間および金属体２を収容する空間である金属体収容空間を有する。
コイル収容空間には、ボビンケース８に対するコイル７の位置を保持するために、コイル７の巻線７ａ，７ｂ内に挿入される突起８ｄ，８ｅが設けられている。
【００３６】
図１６の（ｄ）に示すように、基板実装面には、ボビンケース８に埋設された金属板の一部が露出し、ボビン固定端子部８ａ〜８ｃになっている。
図１６の（ａ）に示すように、ボビンケース８は、基板実装面と反対側に、マウンターで吸着可能な吸着面８ｆを備えている。
【００３７】
実施例４では、絶縁被覆平角銅線をソレノイド状に巻回し且つ扁平に変形させた巻線７ａ，７ｂを有するコイル７を用いているため、コイル７の部分の厚さを減らすことが出来る。
【００３８】
−実施例５−
図１７の（ａ）は実施例５に係るコイル部品ユニット６０を示す正面図、（ｂ）は右側面図である。
このコイル部品ユニット６０は、コイル部品４０と、コイル部品４０を前面に固定したフレキシブル・プリント基板５０とを具備してなる。
フレキシブル・プリント基板５０の前面には、配線パタン５０ａ，５０ｂ，５０ｃ，５０ｄ，５０ｅが形成され、抵抗チップ５１，５２やコネクタ５３が固定されている。
フレキシブル・プリント基板５０の後面には、金属層５０ｆが全面的に形成されている。
フレキシブル・プリント基板５０の前面の配線パタン５０ａ，５０ｂ，５０ｅとフレキシブル・プリント基板５０の後面の金属層５０ｆとはスルーホール５０ｇで電気的に接続されており、これらは電子装置のグランドに接続される。
【００３９】
図１８の（ａ）は実施例５に係るコイル部品４０を示す平面図、（ｂ）は正面図、（ｃ）は右側面図、（ｄ）は底面図、（ｅ）は背面図である。
コイル部品４０は、前後方向にアンテナ指向性を有するコイル１と、コイル１を収容する空間であるコイル収容空間およびフレキシブル・プリント基板５０の前面に固定される面であって且つコイル１のアンテナ指向性の方向と直交又はほぼ直交する面である基板実装面を後面に有するボビンケース６とを備えている。
【００４０】
コイル１は、図４に示すものであり、絶縁被覆銅線をソレノイド状に巻回した巻線１ａ，１ｂを有するコ字形コイルである。コイル１の両端部は、平板状に加工してボビンケース６の端部に巻き付けうるように曲げられ、コイル端子部１ｈ，１ｇになっている。コイル端子部１ｈ，１ｇの少なくとも後面の絶縁被覆は除去され、半田めっきされている。図１８の（ｅ）から判るように、基板実装面には、コイル端子部１ｈ，１ｇが露出している。
【００４１】
図１９の（ａ）はボビンケース６の平面図、（ｂ）は正面図、（ｃ）は右側面図、（ｄ）は底面図、（ｅ）は背面図である。
ボビンケース６は、合成樹脂製であり、コイル１を収容する空間であるコイル収容空間６ｇを有する。
コイル収容空間６ｇには、ボビンケース６に対するコイル１の位置を保持するために、コイル１の巻線１ａ，１ｂ内に挿入される突起６ｄ，６ｅが設けられている。
【００４２】
図１９の（ｅ）に示すように、基板実装面には、ボビンケース６に埋設された金属板の一部が露出し、ボビン固定端子部６ａになっている。
図１９の（ｂ）に示すように、ボビンケース６は、基板実装面と反対側に、マウンターで吸着可能な吸着面６ｆを備えている。
【００４３】
図２０の（ａ）はフレキシブル・プリント基板５０の正面図、（ｂ）は右側面図、（ｃ）は背面図である。
フレキシブル・プリント基板５０は、コイル部品４０が固定されるコイル部品領域５１と、コイル部品領域５１と直交又はほぼ直交するように折り曲げ可能な折り曲げ領域５２とを備えている。
【００４４】
折り曲げ領域５２の配線パタン５０ｂ，５０ｄ，５０ｅおよび後面の金属層５０ｆは、マイクロ・ストリップ・ラインを構成しており、電子装置の基板とそのまま接続でき、接続のための同軸ケーブルを必要とせず、部品点数を減らすことが出来る。なお、図示しないが、マイクロ・ストリップ・ラインを構成する配線パタン５０ｂ，５０ｄ，５０ｅの部分は、シールド材で覆われ、外部ノイズの影響を抑制している。
【００４５】
コイル部品４０は、コイル１のコイル端子部１ｇが回路入力となる配線パタン５０ｃに半田付けされ、コイル１のコイル端子部１ｈがグランドとなる配線パタン５０ｅに半田付けされ、ボビンケース６のボビン固定端子部６ａが配線パタン５０ａに半田付けされている。
【００４６】
図２１に示すように、コイル部品４０をフレキシブル・プリント基板５０に固定した位置関係でコイル部品領域５１の背面に当る金属層５０ｆの部分にコイル１の巻線１ａ，１ｂの部分を正面側から投影したとき、コイル１の巻線１ａ，１ｂの部分の投影像１ｐがコイル部品領域５１の背面に当る金属層５０ｆの部分に入りきるように、金属層５０ｆの大きさ及び位置が設定されている。なお、コイル１は、周波数帯域により大きさが規定されている。
数値例を示すと、周波数帯域がＧＨｚ帯のとき、コイル１の巻線１ａ，１ｂの長さＬａは約３．２ｍｍであり、コイル１の幅Ｌｂは約５ｍｍである。また、コイル部品４０を使用する電子装置の内部空間サイズや電子装置が求めている特性に合わせて、コイル部品領域５１の背面に当る金属層５０ｆの部分の高さＣａは約３．２ｍｍ〜約８ｍｍ、幅Ｃｂは約５ｍｍ〜約８ｍｍの間の値に選択される。
【００４７】
図２２の（ａ）はコイル部品４０を実装したデジタル・カメラ２００の正面図、（ｂ）は右側面図、（ｃ）は底面図である。
デジタル・カメラ２００の基板２００ａは、デジタル・カメラ２００の上下左右の方向に広がっている。
コイル部品ユニット６０は、コイル部品領域５１と直交又はほぼ直交するように折り曲げられた折り曲げ領域５２で基板２００ａの下端部に半田付けされている。コイル１の感度領域は、デジタル・カメラ２００の下方に延びている。
【００４８】
図２３に示すように、このデジタル・カメラ２００は、立てた状態でクレードルＣに載置して、クレードルＣに内蔵され且つ上下方向にアンテナ指向性を有するアンテナＳと近接通信することが出来る。
【００４９】
−実施例６−
実施例５におけるコイル部品４０に代えて、図２４に示すコイル部品８０を用いてもよい。
このコイル部品８０は、コイル７として絶縁被覆平角銅線をソレノイド状に巻回し且つ扁平に変形させた巻線７ａ，７ｂを有するコ字形コイルを用いていることと、コイル７に適合する形状のボビンケース９を用いていること以外は、実施例５におけるコイル部品４０と同じ構成である。
【００５０】
コイル７の両端部は、ボビンケース９の端部に巻き付けうるように曲げられ、コイル端子部７ｈ，７ｇになっている。コイル端子部７ｈ，７ｇの少なくとも後面の絶縁被覆は除去され、半田めっきされている。図２４の（ｅ）から判るように、基板実装面には、コイル端子部７ｈ，７ｇが露出している。
【００５１】
図２４の（ｂ）に示すように、ボビンケース９は、基板実装面と反対側に、マウンターで吸着可能な吸着面９ｆを備えている。
【００５２】
実施例６では、絶縁被覆平角銅線をソレノイド状に巻回し且つ扁平に変形させた巻線７ａ，７ｂを有するコイル７を用いているため、全体の厚さを減らすことが出来る。
【産業上の利用可能性】
【００５３】
本発明のコイル部品およびコイル部品ユニットは、例えばＧＨｚ帯のアンテナコイルとして利用することが出来る。
【符号の説明】
【００５４】
１                                  コイル
１ａ，１ｂ                          コイルの巻線
１ｃ，１ｄ                          巻線の中心軸
１ｅ，１ｂ                          コイル端子部
２，５                              金属体
２ａ，２ｂ                          金属体端子部
３，４                              ボビンケース
３ａ，３ｂ，３ｃ                    ボビン固定端子部
３ｄ，３ｅ                          突起
３ｆ                                吸着面
３ｇ                                コイル収容空間
３ｈ                                金属体収容空間
４ｇ                                段差
１０，２０，３０，４０              コイル部品
５０                                フレキシブル・プリント基板
５０ｆ                              金属層
５１                                コイル部品領域
５２                                折り曲げ領域
６０                                コイル部品ユニット
１００，２００                      デジタル・カメラ
Ｃ                                  クレードル
Ｓ                                  アンテナ
【図１】
2012053089.tif 000003
【図２】
2012053089.tif 000004
【図３】
2012053089.tif 000005
【図４】
2012053089.tif 000006
【図５】
2012053089.tif 000007
【図６】
2012053089.tif 000008
【図７】
2012053089.tif 000009
【図８】
2012053089.tif 000010
【図９】
2012053089.tif 000011
【図１０】
2012053089.tif 000012
【図１１】
2012053089.tif 000013
【図１２】
2012053089.tif 000014
【図１３】
2012053089.tif 000015
【図１４】
2012053089.tif 000016
【図１５】
2012053089.tif 000017
【図１６】
2012053089.tif 000018
【図１７】
2012053089.tif 000019
【図１８】
2012053089.tif 000020
【図１９】
2012053089.tif 000021
【図２０】
2012053089.tif 000022
【図２１】
2012053089.tif 000023
【図２２】
2012053089.tif 000024
【図２３】
2012053089.tif 000025
【図２４】
2012053089.tif 000026
【国際調査報告】
2012053089.tif 000027
2012053089.tif 000028
2012053089.tif 000029
2012053089.tif 000030